(57)【特許請求の範囲】
【請求項１】
電力モードとして第１のモードと、前記第１のモードよりも消費電力の少ない第２のモードとを有する画像形成装置であって、
前記第２のモードにおいて動作する第１の電源と、
前記第１のモードにおいて動作する第２の電源と、
前記第１の電源、又は、前記第２の電源から給電されることにより発熱するヒータと、
前記第１の電源から前記ヒータへの給電と、前記第２の電源の起動、及び、その停止とを制御する制御手段と、
前記第１の電源から前記ヒータへの給電と非給電を切り替える第１のスイッチ手段と、
前記第１の電源により駆動し、前記第２の電源の起動および停止を制御する第２のスイッチ手段と、
利用者により手動操作される、前記ヒータへの給電可否を切り替える切替手段と、を有し、
前記制御手段は、前記切替手段により前記ヒータへの給電が許可されている場合は、前記第２のモードから前記第１のモードへの移行指示に応じて、前記第１のスイッチ手段を制御して前記第１の電源から前記ヒータへの給電を遮断するとともに、前記第２のスイッチ手段を駆動して前記第２の電源から前記ヒータへの給電を開始させ、前記切替手段により前記ヒータへの給電が許可されていない場合は、電力モードによらず、前記第１のスイッチ手段及び前記第２のスイッチ手段を停止させ、前記第１の電源及び前記第２の電源から前記ヒータへの給電が開始されないように制御することを特徴とする、
画像形成装置。
【請求項２】
前記制御手段は、前記第１のモードから前記第２のモードへの移行指示に応じて、前記第２のスイッチ手段を駆動して前記第２の電源を停止させ、前記第１のスイッチ手段を駆動して前記第１の電源から前記ヒータへの給電を開始させることを特徴とする、
請求項１に記載の画像形成装置。
【請求項３】
前記第１の電源の消費電流を検知する検知手段を有し、
前記制御手段は、前記検知手段からの検知信号に基づいて前記第１、第２のスイッチ手段を制御することを特徴とする、
請求項１又は２に記載の画像形成装置。
【請求項４】
前記ヒータと並列に接続される容量性負荷を有し、
前記ヒータに対する前記第１および第２の電源の切り替え直後のタイミングにおいて前記容量性負荷が前記ヒータに対して給電するように構成されたことを特徴とする、
請求項１乃至３のいずれか一項に記載の画像形成装置。
【請求項５】
前記第１のモードにおいて動作する第２の制御手段と、
前記第２の制御手段に対する給電を制御可能な第３のスイッチ手段と、を有し、
前記制御手段は、前記第１のモードから前記第２のモードへの移行指示に応じて、前記第２の制御手段への給電を遮断するために前記第３のスイッチ手段の駆動を開始させ、駆動完了に要する時間の経過後に前記ヒータへ給電するため前記第１のスイッチ手段の駆動をし、前記第２のモードから前記第１のモードへの移行指示に応じて、前記ヒータへの給電を遮断するために前記第１のスイッチ手段の駆動を開始させ、駆動完了に要する時間の経過後に前記第２の制御手段へ給電するために前記第３のスイッチ手段を駆動することを特徴とする、
請求項１乃至４のいずれか一項に記載の画像形成装置。
【請求項６】
前記第２のモードは、省電力モードであり、前記第１のモードは、画像形成を行うときの或いは画像形成の開始を待機している省電力モード以外のモードであり、
前記第１の電源は常夜電源であり、前記第２の電源は非常夜電源であることを特徴とする、
請求項１乃至５のいずれか一項に記載の画像形成装置。
【請求項７】
前記電源が直流電源であり、
前記ヒータが直流ヒータであることを特徴とする、
請求項１乃至６のいずれか一項に記載の画像形成装置。
【請求項８】
前記画像形成装置はネットワークを介して外部端末と接続可能に構成され、
前記制御手段は、前記第２のモードから前記第１のモードへの移行指示として前記外部端末よりネットワーク応答要求を受け付けた場合には前記第１の電源から前記ヒータへの給電を遮断するとともに、前記第２の電源を起動して当該第２の電源から前記ヒータへの給電が開始されるように制御することを特徴とする、
請求項１に記載の画像形成装置。
【請求項９】
前記制御手段は、前記第２のモードから前記第１のモードへの移行指示として前記外部端末よりネットワーク応答要求を受け付けた場合、前記ヒータへの給電のみが開始されるように制御することを特徴とする、
請求項８に記載の画像形成装置。
【請求項１０】
記録紙を格納する給紙カセットと、
前記給紙カセットから給送された記録紙に画像を形成する画像形成部と、を有し、
前記ヒータは、前記給紙カセットの周辺に設置され、前記給紙カセット内を暖めるヒータであることを特徴とする請求項１乃至９のいずれか一項に記載の画像形成装置。
【請求項１１】
記録紙を格納する給紙カセットと、
前記給紙カセットから給送された記録紙に画像を形成する画像形成部と、を有し、
前記ヒータは、前記画像形成部の周辺に設置され、前記画像形成部を暖めるヒータであることを特徴とする請求項１乃至９のいずれか一項に記載の画像形成装置。
【発明の詳細な説明】
【技術分野】
【０００１】
本発明は、画像形成装置が有するヒータ制御の技術に関する。
【背景技術】
【０００２】
電子写真プロセスを有する画像形成装置においては、地域、季節によって生じる夜間および朝方の冷え込みや、オフィス始業開始後の空調設備による急激な室温上昇といった環境変動による結露などで画像不良を生じることがあった。そのため、市場においては、サービスマンの判断、あるいはユーザの要望に応じて環境ヒータを画像形成装置に設置して結露防止が図られてきた。
【０００３】
近年、画像形成装置の更なる画質安定化と高寿命化が要求される中で、その要求を満たすためには、電子写真プロセスにおける感光ドラム周辺部、および記録紙が格納されているカセット内の温度をより安定化させる必要がある。しかし、環境ヒータは、給電されるＡＣ（交流電流）商用電源が直接入力されるタイプであるため、仕向地毎で異なるＡＣ商用電源の電圧に応じてＡＣヒータへの入力回路を異ならせた構成が提案されている（特許文献１参照）。
【０００４】
しかし、特許文献１の構成では、ＡＣ商用電源の電圧の規格値毎の対策はできても、電圧値の変動には対処できていない。これに対して、環境ヒータとしてＤＣ（直流電流）ヒータを用いる構成が考えられる。ＤＣヒータの電源として、出力電圧が定電圧に制御されるＤＣ電源を用いれば、商用電源の電圧が変動しても、温度リップルを低減できる。
【先行技術文献】
【特許文献】
【０００５】
【特許文献１】特開２００９−２１６８２７号公報
【発明の概要】
【発明が解決しようとする課題】
【０００６】
しかしながら、ＤＣヒータの電源として、省電力モード時においても動作する制御回路用電源に複数の環境ヒータを並列接続した場合、複数の環境ヒータに対して同時に給電するタイミングが生じ、制御回路用電源の最大消費電力が大きくなってしまう。そのため、高出力タイプの制御回路用電源を採用する必要が生じる。しかしこの場合、画像形成装置の省電力モード時における消費電力がかえって増加してしまう、という課題が残る。
【０００７】
本発明は、省電力モード時の電力増加を抑制することができる画像形成装置を提供することを、主たる目的とする。
【課題を解決するための手段】
【０００８】
上記課題を解決するための一態様は、電力モードとして第１のモードと、前記第１のモードよりも消費電力の少ない第２のモードとを有する画像形成装置であって、前記第２のモードにおいて動作する第１の電源と、前記第１のモードにおいて動作する第２の電源と、前記第１の電源、又は、前記第２の電源から給電されることにより発熱するヒータと、前記第１の電源から前記ヒータへの給電と、前記第２の電源の起動、及び、その停止とを制御する制御手段と、前記第１の電源から前記ヒータへの給電と非給電を切り替える第１のスイッチ手段と、前記第１の電源により駆動し、前記第２の電源の起動および停止を制御する第２のスイッチ手段と、利用者により手動操作される、前記ヒータへの給電可否を切り替える切替手段と、を有する。
前記制御手段は、前記制御手段は、前記切替手段により前記ヒータへの給電が許可されている場合は、前記第２のモードから前記第１のモードへの移行指示に応じて、前記第１のスイッチ手段を制御して前記第１の電源から前記ヒータへの給電を遮断するとともに、前記第２のスイッチ手段を駆動して前記第２の電源から前記ヒータへの給電を開始させ、前記切替手段により前記ヒータへの給電が許可されていない場合は、電力モードによらず、前記第１のスイッチ手段及び前記第２のスイッチ手段を停止させ、前記第１の電源及び前記第２の電源から前記ヒータへの給電が開始されないように制御することを特徴とする。
【発明の効果】
【０００９】
本発明によれば、モードに応じてヒータに対する給電先を切り替えることにより省電力モード時の電力増加を抑制することができる。
【図面の簡単な説明】
【００１０】
【図１】本実施形態に係る画像形成装置の概略構成図。
【図２】画像形成装置の機能構成の一例を示すブロック図。
【図３】画像形成装置の動作概要を説明するためのフローチャート。
【図４】画像形成装置が省電力モードから復帰する際の制御手順の一例を示すフローチャート。
【図５】図４において説明した制御手順の詳細を説明するためのタイミングチャート。
【図６】画像形成装置が省電力モードへ移行する際の制御手順の一例を示すフローチャート。
【図７】図６において説明した制御手順の詳細を説明するためのタイミングチャート。
【図８】図２とは異なる、画像形成装置１００の機能構成の一例を示すブロック図。
【図９】（ａ）、（ｂ）は、環境ヒータにコンデンサを並列接続した場合の構成の一例を示す制御ブロック図。
【図１０】図２、図８とは異なる、画像形成装置１００の機能構成の一例を示すブロック図。
【図１１】図２、図８、図１０とは異なる、画像形成装置１００の機能構成の一例を示すブロック図。
【図１２】（ａ）は、各状態に対してのステータス （環境スイッチ１２２オン時）、（ｂ）は、各状態に対してのステータス （環境スイッチ１２２オフ時）を示す表。
【図１３】画像形成装置が省電力モードからスタンバイ２モードへ移行する際の制御手順の一例を示すフローチャート。
【発明を実施するための形態】
【００１１】
以下、図面を参照して本発明に係る画像形成装置の実施形態を説明する。なお、本実施形態に係る画像形成装置は、電力モードとして画像形成モード、スタンバイモード、そして省電力モードを有するものとして説明する。
画像形成モードは画像形成を実行中の電力モードである。スタンバイモードはスタンバイ１モードとスタンバイ２モードがある。スタンバイ１モードは画像形成動作が開始可能な状態での電力モードである。また、本実施形態に係る画像形成装置は、ネットワークを介して外部端末と接続可能に構成される。
ユーザの使用頻度が低い場合において、スタンバイ１モード中の不要な電気負荷への電力供給を停止し、外部端末を介したネットワークの応答が可能である。また、スタンバイ１モードに比べて画像形成を開始できる状態になるまでの時間が長くなる電力モードであるスタンバイ２モードがある。そして、長時間使用しない場合において、ネットワーク応答のための電力供給を停止し、さらに待機電力を低減させた省電力モードがある。なお、各モードの消費電力は、画像形成モード、スタンバイ１モード、スタンバイ２モード、省電力モードの順に少なくなる。
【００１２】
［実施形態例］
図１は、本実施形態に係る画像形成装置の概略構成図であり、画像形成装置の斜め背面側から見た斜視図である。画像形成装置１００は、画像形成部（不図示）を備えた画像形成装置本体１０１、画像読取部１０２、原稿給送部１０３を含んで構成される。ＡＣコード１０４は、商用電源を引き込む為のＡＣコードであり、仕向けによってプラグ形状が異なる。ＡＣ商用電源は、ＡＣコード１０４とインレット１０５を介して装置に給電される。
【００１３】
本実施形態の画像形成装置は、画像形成を行うときの或いは画像形成の開始を待機しているときの画像形成モード或いはスタンバイモードから、通常電力モードよりも消費電力の少ない省電力モードへ移行可能な構成である。なお、スタンバイモードは、省電力モード以外のモードであり、以降、省電力モード以外のモードを第１のモードと称し、省電力モードを第２のモードと称す。
また、本体電源１１８は、省電力モード時に動作する第１電源（例えば、第１の電源である常夜電源）２０１を有する。また、省電力モード以外のモードにおいて動作する第２電源（例えば、第２の電源である非常夜電源）２０５を有する。詳細は図２を用いて後述する。
【００１４】
第１電源２０１と第２電源２０５は、ＡＣ商用電源が供給されるとＤＣ電源（直流電源）を出力する。出力されたＤＣ電源は、電源配電部であるリレーボード１１６を介してシステムコントローラ１１７、各種モータ、ソレノイドなどの駆動負荷部（不図示）に供給される。
【００１５】
システムコントローラ１１７は、ＣＰＵ（Central Processing Unit）、制御プログラムなどが書き込まれたＲＯＭ（Read Only Memory）、処理を行うためのワークＲＡＭ（Random Access Memory）を含んで構成される。システムコントローラ１１７では、装置が電源オフ時であってもデータを記憶しておくための不揮発性メモリ（不図示）、Ｉ／Ｏポート（不図示）などがアドレスバス、データバスを介して各構成機器に接続されている。
Ｉ／Ｏポートには、モータやソレノイドなどの駆動負荷部（不図示）、画像が形成される記録紙の搬送位置を検知するセンサ（不図示）、定着装置（不図示）などが接続される。ＣＰＵは、ＲＯＭの内容にしたがってＩ／Ｏポートを介して順次入出力の制御を行い、画像形成動作を実行する。
【００１６】
ネットワークポート２３２は、外部端末（不図示）を介して、画像形成装置１００に対して画像形成動作などを指示する場合に用いる通信用ポートである。なお、それぞれの端末と画像形成装置１００との通信制御はネットワークポート２３２を介してシステムコントローラ１１７により行われる。
【００１７】
電力モード切替えスイッチ１２３は、電力モードの切り替え、例えば省電力モード以外のモード（第１のモード）から省電力モード（第２のモード）への移行（以下、省電力モードへの移行と称す）を指示するためのスイッチである。電力モード切替えスイッチ１２３は、また、省電力モードから省電力モード以外のモードへの移行（以下、省電力モードからの復帰と称す）を指示するためのスイッチでもある。ユーザは、電力モード切替えスイッチ１２３を押下することにより、画像形成装置１００の動作に係る電力モードを切替えることができる。
メインスイッチ２３０は、画像形成装置の電源オンやオフを行うために手動操作されるスイッチである。
【００１８】
また、記録紙が格納されている給紙カセット１２４周辺には環境ヒータ１１１が設置される。環境ヒータ１１１は、ＤＣ（直流電流）ヒータとして構成されたものであり、例えば、所定の抵抗値Ｒｈを有する抵抗体である。また、環境ヒータ１１１は、供給される直流電圧に基づいて電力および発熱量が決定される。なお、環境ヒータ１１１への給電制御は、環境スイッチ１２２がＯＮ時のみ給電が許可されるように制御される。環境スイッチ１２２は利用者により手動操作され、環境ヒータ１１１への給電の可否を切り替える切替手段として機能する。
なお、本実施形態では、記録紙が格納されている給紙カセット１２４周辺に環境ヒータが設置されているが、これに限るものではない。例えば、画像形成部周辺に環境ヒータを設置してもよい。
【００１９】
図２は、画像形成装置１００の機能構成の一例を示すブロック図である。
第１電源２０１は、画像形成装置１００がＡＣコード１０４を介して商用電源コンセントに接続されると電力が供給される。また、第１電源２０１を介してシステムコントローラ１１７に電力が供給される。
【００２０】
システムコントローラ１１７は、省電力モード時においても動作している制御回路Ａ２０２、省電力モード以外のモードにおいて動作し、省電力モードでは動作しない制御回路Ｂ２０３を有する。
システムコントローラ１１７内の制御回路Ａ２０２は、ＣＰＵを有し、各種処理を制御するための制御プログラムが格納されているＲＯＭ、各種処理を実行するために使用するシステムワークメモリであるＲＡＭを有する一種のコンピュータとして機能する。
【００２１】
制御回路Ａ２０２は、省電力モード以外のモードから省電力モードへの移行要因信号、あるいは省電力モードから省電力モード以外のモードへの復帰要因信号が入力された際に、その移行指示又は復帰指示に応じてＦＥＴ２０９を駆動する。これにより制御回路Ａ２０２は、制御回路Ｂ２０３の起動及び停止の制御を行う。また、制御回路Ａ２０２は、リレー２０４を駆動することにより第２電源２０５の起動及び停止が制御可能となる。制御回路Ａ２０２は、また、ＦＥＴ２０６を駆動することにより環境ヒータ１１１への給電及びその遮断が制御可能となる。
なお、省電力モード以外のモードから省電力モードへの移行要因としては、前述の電力モード切替えスイッチ１２３の押下の他に、例えば一定時間画像形成が行われないこと等がある。また、省電力モードから省電力モード以外のモードへの復帰要因としては、前述の電力モード切替えスイッチ１２３の押下の他に、例えば、外部接続された機器からの接続確認の応答要求、画像形成要求等がある。
【００２２】
環境ヒータ１１１への給電は、第１の給電経路として、制御回路Ａ２０２によって駆動されるＦＥＴ２０６からダイオード２０７を介して第１電源２０１からの電圧ＶＡが供給される経路を有する。また、第２の給電経路としてダイオード２０８を介して第２電源２０５からの電圧ＶＢが供給される経路を有する。
なお、第２電源２０５には画像読取動作、および画像形成動作に必要な駆動負荷、検出素子およびそれらを制御する制御ユニット（不図示）が接続されている。
【００２３】
図３は、画像形成装置１００の動作概要を説明するためのフローチャートである。なお、画像形成装置１００の制御処理は主としてシステムコントローラ１１７により行われる。
【００２４】
画像形成装置１００は、ＡＣ商用電源により給電開始を契機に第１電源２０１及び第２電源２０５の起動、画像形成装置の状態確認および各種調整といった各種処理を実行する起動シーケンスを実施する（Ｓ３０１）。その後画像形成装置１００は、スタンバイモードへ状態推移する（Ｓ３０２）。
【００２５】
画像形成装置１００は、外部端末（不図示）等から画像形成要求を受け付けた場合（Ｓ３０３：Ｙｅｓ）、画像形成モードに移行して画像形成動作を行う（Ｓ３０４）。画像形成動作が終了した後に再び、画像形成装置１００はスタンバイモードに移行する。
また、画像形成要求がない場合（Ｓ３０３：Ｎｏ）、画像形成装置１００は、省電力モード移行要求の有無を判断する（Ｓ３０５）。
【００２６】
画像形成装置１００は、電力モード切替えスイッチ１２３の押下等により省電力モードへの移行要因信号が入力された場合（Ｓ３０５、Ｙｅｓ）、省電力モード移行シーケンスを実行する（Ｓ３０６）。省電力モード移行シーケンスでは、画像形成装置１００はモータやソレノイドなどの駆動負荷（不図示）、制御回路Ｂ２０３、第２電源２０５の停止の処理を実行する。その後画像形成装置１００は、省電力モードに移行する（Ｓ３０７）。
【００２７】
画像形成装置１００は、電力モード切替えスイッチ１２３の押下等による省電力モードからの復帰要因の有無を判断する（Ｓ３０８）。電力モード切替えスイッチ１２３の押下等により省電力モードからの復帰要因信号が入力された場合（Ｓ３０８：Ｙｅｓ）、画像形成装置１００は、省電力モードからの復帰シーケンスを実行する（Ｓ３０９）。省電力モードからの復帰シーケンスでは、画像形成装置１００はモータ、ソレノイドなどの駆動負荷（不図示）、制御回路Ｂ２０３、第２電源２０５の起動処理を実行する。その後画像形成装置１００は、スタンバイモードに移行する（Ｓ３０２）。
【００２８】
また、省電力モードからの復帰要因が無いと判断した場合（Ｓ３０８：Ｎｏ）、画像形成装置１００は、ネットワークに接続している外部端末からのネットワーク応答要求などによるスタンバイ２移行要因の有無を判断する（Ｓ３１０）。スタンバイ２移行要因信号が入力された場合（Ｓ３１０：Ｙｅｓ）、画像形成装置１００は、スタンバイ２モード移行シーケンスを実行する（Ｓ３１１）。スタンバイ２モード移行シーケンスの詳細については後述する。その後画像形成装置１００は、スタンバイ２モードに移行する（Ｓ３１２）。
また、スタンバイ２移行要因が無いと判断した場合（Ｓ３１０：Ｎｏ）、画像形成装置１００は、ステップＳ３０６の処理へ進む。この場合、画像形成装置１００は、省電力モードに移行する。
【００２９】
画像形成装置１００は、スタンバイ２モードへ移行後に所定時間が経過したことなどによる省電力モード移行要因の有無を判断する（Ｓ３１３）。所定時間の経過などによる省電力モード移行要因が有ると判断した場合（Ｓ３１３：Ｙｅｓ）、画像形成装置１００は、省電力モード移行シーケンスを実行する（Ｓ３０６）。また、そうでない場合（Ｓ３１３：Ｎｏ）、ステップＳ３１２の処理へ戻る。この場合、画像形成装置１００は、スタンバイ２モードを維持する。
以下、図３に示すステップＳ３０９の処理（省電力モードからの復帰シーケンス）の詳細について図２、及び、図４に示す制御フローチャートを用いて説明する。
【００３０】
図４は、画像形成装置１００が省電力モードから復帰する際の制御手順の一例を示すフローチャートである。なお、以下に説明する各制御処理は主として制御回路Ａ２０２により行われる。
【００３１】
制御回路Ａ２０２は、装置に対して省電力モードからの復帰要因が入力された場合、ＦＥＴ２０６をオフ（ＯＦＦ）して環境ヒータ１１１に対する第１電源２０１からの給電を遮断する（Ｓ４０１）。つまり、省電力モードからの復帰要因が入力された場合、制御回路Ａ２０２は電圧レベルがＬ（Ｌｏｗ）信号となる信号ｓｉｇ．Ａ２２１をＡＮＤ回路２１２へ出力する。ＡＮＤ回路２１２は、２入力のうち片方がＬ信号になるとその出力は一意にＬ信号になる。そのため、信号ｓｉｇ．Ａ２２１が入力されたＡＮＤ回路２１２の出力はＬ信号となり、ＦＥＴ２０６がオフされる。
【００３２】
制御回路Ａ２０２は、給電の遮断後、所定時間（例えば、１００［ｍｓ］）が経過するまで待機する（Ｓ４０２）。所定時間経過後、制御回路Ａ２０２は、ＦＥＴ２０９をオン（ＯＮ）して制御回路Ｂ２０３を起動する（Ｓ４０３）。つまり、制御回路Ａ２０２は電圧レベルがＨ（Ｈｉｇｈ）信号となる信号ｓｉｇ．Ｃ２２３をＡＮＤ回路２１２へ出力してＦＥＴ２０９をオンする。
【００３３】
制御回路Ａ２０２は、リレー２０４をオン（ＯＮ）して第２電源２０５を起動する（Ｓ４０４）。つまり、制御回路Ａ２０２は信号ｓｉｇ．Ｂ２２２を出力し、ダイオード２１３を介してリレー２０４をオンする。制御回路Ａ２０２は、第２電源２０５の起動が完了して画像形成動作に必要な負荷の起動を確認した時点で、画像形成装置１００をスタンバイモードに移行する（Ｓ４０５）。
このように画像形成装置１００が省電力モードからスタンバイモードへ復帰する際に、第１電源２０１の消費電力を増加させることなく制御回路Ｂ２０３の起動、及び、環境ヒータ１１１への給電を第１電源２０１から第２電源２０５へ切り替えることができる。
【００３４】
ここで、環境スイッチ１２２の状態に関連した第１電源２０１側と第２電源２０５側の動作について説明する。
第１電源２０１側では、環境スイッチ１２２がオンのときにはＦＥＴ２０６の上流側に配設されたＡＮＤ回路２１２にＨ信号が入力され、ＡＮＤ回路２１２の出力は信号ｓｉｇ．Ａ２２１の電圧レベルで決定される。また、環境スイッチ１２２がオフのときには信号ｓｉｇ．Ａ２２２の電圧レベルにかかわらずＡＮＤ回路２１２の出力はＬ信号となり、ＦＥＴ２０６は停止されることになる。
【００３５】
また、第２電源２０５側では、環境スイッチ１２２がオンのときにはＡＮＤ回路２１７にＨ信号が入力され、ＡＮＤ回路２１７の出力信号である信号ｓｉｇ．Ｄ２２４は同様に信号ｓｉｇ．Ａ２２１の電圧レベルで決定される。
なお、ＡＮＤ回路２１７の上流側にはＮＯＴ回路２１８が配設されているため、ＡＮＤ回路２１７の出力は前述したＡＮＤ回路２１２の出力と排他関係になる。ＡＮＤ回路２１７の出力はダイオード２１４を介してリレー２０４に入力され、第２電源２０５の起動を決定させる。また、環境スイッチ１２２がオフのときには信号ｓｉｇ．Ｄ２２４はＬ信号となる。信号ｓｉｇ．Ｂ２２２がＨ信号となるスタンバイモードでない限り、リレー２０４はオフされて第２電源は起動しないことになる。
【００３６】
また、環境スイッチ１２２の切り替えは第２電源２０５の下流側に配設されているＦＥＴ２１５のオン／オフを決定させる。信号ｓｉｇ．Ｂ２２２がＨ信号となるスタンバイモード時にはリレー２０４がオンして第２電源２０５が起動する。スタンバイモードにおいて環境スイッチ１２２がオフのときには環境ヒータ１１１への供給はＦＥＴ２１５により遮断される。なお、以下の説明において特に記載がない限り環境スイッチ１２２はオンの状態であるものとする。
以下、図３に示すステップＳ３１１の処理（省電力モードからスタンバイ２モードへの移行シーケンス）の詳細についてについて図２、及び、図１３に示す制御フローチャートを用いて説明する。
【００３７】
図１３は、画像形成装置１００が省電力モードからスタンバイ２モードへ移行する際の制御手順の一例を示すフローチャートである。なお、以下に説明する各制御処理は主として制御回路Ａ２０２により行われる。
制御回路Ａ２０２は、ネットワークに接続している外部端末より装置に対してネットワーク応答要求が入力された場合にはスタンバイ２モード移行シーケンス（移行処理）を開始する（Ｓ７０１）。
制御回路Ａ２０２は、信号ｓｉｇ．Ａ２２１をＬ信号に設定し、ＡＮＤ回路２１２の出力をＬ信号にしてＦＥＴ２０６を停止させて第１電源２０１から環境ヒータ１１１への給電を遮断する。制御回路Ａ２０２は、また、信号ｓｉｇ．Ａ２２１はＮＯＴ回路２１８、ＡＮＤ回路２１７に入力され、ＡＮＤ回路２１７の出力信号である信号ｓｉｇ．Ｄ２２４はＨ信号となりリレー２０４をオンして第２電源２０５を起動する（Ｓ７０２）。その後制御回路Ａ２０２は、スタンバイ２モードに移行する（Ｓ７０３）。
【００３８】
このようにスタンバイ２モードでは、環境ヒータ１１１への給電が第１電源２０１から第２電源２０５に切り替わる。スタンバイ２モード時ではネットワーク応答に対応するためにシステムコントローラ１１７が駆動される。そのため、第１電源２０１からそのまま給電し続けた場合には必要な電力をまかなうことができなくなる。そのため、スタンバイ２モード時には環境ヒータ１１１の電源供給を第２電源２０５に切り替える。ここで環境スイッチ１２２がオフのときにはＡＮＤ回路２１７にＬ信号が入力され、信号ｓｉｇ．Ｄ２２４はＬ信号となりリレー２０４がオフされて第２電源が停止されることになる。
【００３９】
ここで、これまで述べてきた本体装置の各モードに対して制御回路Ａ２０２の各出力信号（信号ｓｉｇ．Ａ２２１等）と第１電源２０１、第２電源２０５、制御回路Ｂ２０３、環境ヒータ１１１の状態との関係について図１２を用いて説明する。
【００４０】
図１２は、各モードにおける各構成機器のステータスを説明するための表である。図１２は、縦軸にメインスイッチ２３０の状態及び各モードを示し、横軸に各出力信号、第１電源２０１、第２電源２０５、制御回路Ｂ２０３及び環境ヒータ１１１の状態を示している。図１２（ａ）は、環境スイッチ１２２がオンで環境ヒータ１１１が起動する場合を示している。図１２（ｂ）は、環境スイッチ１２２がオフで環境ヒータ１１１が停止する場合を示している。
各モードにおいて環境ヒータ１１１の状態は環境スイッチ１２２のオン／オフにより切り替わり、環境スイッチ１２２がオンの状態で環境ヒータ１１１が発熱状態となる。
環境スイッチ１２２がオンの場合を説明する。ＡＣコード１０４よりＡＣ商用電源が供給されている状態でメインスイッチ２３０がオフされている場合、及び、装置の状態が省電力モードである場合には第１電源が稼働しており、環境ヒータ１１１は第１電源より給電される。装置の状態がスタンバイ２モードである場合、及びスタンバイモード、画像形成モードである場合、つまり省電力モード以外のモードのときには環境ヒータ１１１は第２電源２０５より給電される。
【００４１】
また、装置の状態がスタンバイモード、あるいは画像形成モードである場合、第２電源２０５は環境ヒータ１１１の他にも本体装置の各負荷に給電する。これに対して、装置の状態がスタンバイ２モードである場合には、ネットワーク応答のみのため環境ヒータ１１１にのみに給電されるように制御される。そのため、環境ヒータ１１１を使用しない場合、不要に第２電源２０５を起動させないように環境スイッチ１２２をオフする必要がある。
本実施形態に係る画像形成装置１００では、スタンバイ２モード時のときには環境スイッチ１２２のオン／オフにより信号ｓｉｇ．Ｄ２２４がＨ信号／Ｌ信号が切り替わり、さらにリレー２０４、第２電源２０５のオン／オフが切り替え可能な構成になっている。
【００４２】
リレー２０４の起動は、信号ｓｉｇ．Ｄ２２４がＨ信号である場合に実行されるため、信号ｓｉｇ．Ａ２２１がＨ信号であり環境スイッチ１２２がオンされていることが必要になる。スタンバイモードおよび画像形成モードのときには信号ｓｉｇ．Ａ２２１、ｓｉｇ．Ｂ２２２、ｓｉｇ．Ｃ２２３、ｓｉｇ．Ｄ２２４がＨ信号となり第１電源２０１、第２電源２０５、制御回路Ｂ２０３が起動し、環境ヒータ１１１は第２電源２０５から給電される。
環境スイッチ１２２がオフの場合を説明する。各モードにおいて環境ヒータ１１１は停止された状態となる。スタンバイ２モード以外の信号ｓｉｇ．Ａ２２１〜信号ｓｉｇ．Ｄ２２４、第１電源２０１、第２電源２０５および制御回路Ｂ２０３の状態は環境スイッチ１２２がオンの場合と同じである。上述の通り、スタンバイ２モードの場合は不要に第２電源２０５を起動させないように信号ｓｉｇ．Ｄ２４４をＬとしリレー２０４を停止させる。
【００４３】
図５は、図４において説明した制御手順の詳細を説明するためのタイミングチャートである。
図５に示すタイミングチャートの縦軸１段目（１）は、第１電源２０１の電圧ＶＡ［Ｖ］（定格出力電圧値Ｖ１−Ｖｄ２０７）であり、２段目（２）は、第１電源２０１の消費電力Ｗ_ｗｈｏｌｅ［Ｗ］である。また、縦軸３段目（３）は、制御回路Ａ２０２と制御回路Ｂ２０３の合計消費電力Ｗ_ｃｉｒｃｕｉｔ［Ｗ］であり、４段目（４）は、第２電源２０５の電圧ＶＢ［Ｖ］（定格出力電圧値Ｖ２−Ｖｄ２０８）である。また、縦軸５段目（５）は、環境ヒータ１１１の消費電力Ｗ_ｈｅａｔ［Ｗ］である。
【００４４】
画像形成装置１００が省電力モード状態である場合、図５に示すタイミングチャートの各段（１）〜（５）は、下記のような状態である。
第１電源２０１の電圧（（１））は、ＶＡ＝Ｖ１−Ｖｄ２０７［Ｖ］、第１電源２０１の消費電力（（２））は、Ｗ_ｗｈｏｌｅ＝Ｗ_ｃｉｒｃｕｉｔＡ＋Ｗｈ１［Ｗ］、制御回路の消費電力（（３））は、Ｗ_ｃｉｒｃｕｉｔ＝Ｗ_ｃｉｒｃｕｉｔＡ［Ｗ］である。また、第２電源２０５の電圧（（４））は、ＶＢ＝０［Ｖ］、環境ヒータ１１１の消費電力（（５））は、Ｗ_ｈｅａｔ＝ＶＡ２／Ｒｈである。
【００４５】
ここで、電圧Ｖ１は第１電源の定格出力電圧値、Ｗ_ｃｉｒｃｕｉｔＡは制御回路Ａ２０２の消費電力値、Ｗ_ｃｉｒｃｕｉｔＢは制御回路Ｂ２０３の消費電力値、Ｒｈは環境ヒータ１１１の抵抗値である。また、消費電力Ｗｈ１は、第１電源２０１の電圧ＶＡが供給された状態における環境ヒータ１１１の消費電力値、Ｗｈ２は第２電源２０５の電圧ＶＢが供給された状態における環境ヒータの消費電力値である。なお、本実施形態では説明を簡潔にするためにＦＥＴ２０６、２０９、２１５、ダイオード２１３、２１４、ＮＯＴ回路２１８、ＡＮＤ回路２１２、２１７の電圧降下分は０［Ｖ］とする。
また、ダイオード２０７の電圧降下分はＶｄ２０７、ダイオード２０８の電圧降下分はＶｄ２０８とし、Ｖｄ２０７＜Ｖｄ２０８であるとする。また、Ｖ１−Ｖｄ２０７＝Ｖ２−Ｖｄ２０８であるとする。
【００４６】
画像形成装置１００の制御回路Ａ２０２は、図５横軸に示す省電力モードからの復帰要因入力を契機に信号ｓｉｇ．Ａ２２１をＬ信号に設定してＦＥＴ２０６をオフする（ステップＳ４０１の処理参照）。そのため、第１電源２０１の消費電力（（２））Ｗ_ｗｈｏｌｅは、環境ヒータの消費電力Ｗｈ１が減じられるため図５に示すように下降を開始する。
【００４７】
そして、所定時間待機（ステップＳ４０２の処理参照）したタイミングで第１電源２０１の消費電力（（２））Ｗ_ｗｈｏｌｅから消費電力Ｗｈ１の影響がなくなる。この後、制御回路Ａ２０２は信号ｓｉｇ．Ｂ２２２をＨ信号に設定しＦＥＴ２０９がオン（ステップＳ４０３の処理参照）する。そのため、制御回路Ｂ２０３が起動され、図５に示すように第１電源２０１の消費電力（（２））Ｗ_ｗｈｏｌｅは上昇を開始する。
これにより、制御回路Ｂ２０３の消費電力Ｗ_ｃｉｒｃｕｉｔＢが加えられるため、第１電源の消費電力（（２））Ｗ_ｗｈｏｌｅは、制御回路Ａ２０２の消費電力Ｗ_ｃｉｒｃｕｉｔＡと制御回路Ｂ２０３の消費電力Ｗ_ｃｉｒｃｕｉｔＢの合計となる。
【００４８】
このように画像形成装置１００では、第１電源２０１から環境ヒータ１１１への給電の遮断を開始し、この完了を待ってから制御回路Ｂ２０３の起動を行うように制御される。そのため、第１電源２０１の消費電力Ｗ_ｗｈｏｌｅは、環境ヒータ１１１の消費電力Ｗｈ１と制御回路Ｂの消費電力Ｗ＿ｃｕｉｃｕｉｔＢが重複する期間を持たないことになる。
【００４９】
また、画像形成装置１００では、最後にリレー２０４をオンすることにより第２電源２０５が起動され、その電圧上昇（０からＶＢ）に伴って環境ヒータ１１１への給電が再開される。そのため、環境ヒータ１１１は、Ｗ_ｈｅａｔ＝Ｗｈ２＝ＶＢ２／Ｒｈの電力を消費する状態になる。
【００５０】
なおこのとき、Ｖ１−Ｖｄ２０７＝Ｖ２−Ｖｄ２０８であることからＷｈ１＝Ｗｈ２となる。また、環境ヒータ１１１の電源を切り替えた場合においてもヒータ温度を変動させないため、Ｗｈ１＝Ｗｈ２であることが必要になる。本実施形態の説明ではダイオードの電圧降下分によりＷｈ１＝Ｗｈ２を成り立たせているが、その構成は分圧回路などであってもよくこの構成に限るものではない。
【００５１】
例えば、省電力モードからの復帰要因及び移行要因の入力に同期して、環境ヒータ１１１への給電経路を切り替える制御を実施しない場合、低出力タイプの第１電源２０１が環境ヒータ１１１への給電を継続したままになる。つまり、第１電源２０１が環境ヒータ１１１への給電を継続したまま制御回路Ｂ２０３が通常モード動作を行うことになる。この場合、第１電源では環境ヒータ１１１が必要な電力をまかなうことができず、電圧降下を発生させ装置の動作が不安定となるといった不具合が生じてしまうことがある。
【００５２】
また、例えばＦＥＴ２０６の駆動／停止にかかる時間と、ＦＥＴ２０９の駆動／停止にかかる時間とを考慮した、つまり駆動完了を考慮した環境ヒータ１１１への給電経路の切り替え制御を実施しない場合を想定する。この場合、モード移行時に環境ヒータ１１１への給電と、制御回路Ｂ２０３の通常モード動作とが重複するタイミングが発生してしまい上記と同様の不具合が生じてしまうことになる。
【００５３】
なお、高出力タイプの第１電源２０１を採用した場合には前記のような不具合は生じないが、省電力モード時に第１電源の電力効率が低い領域にて動作することになる。そのため、第１電源での電力損失が大きくなり、装置における省電力モード時の消費電力を増加させてしまうことになる。
以下、図３に示すステップＳ３０６の処理（スタンバイモードから省電力モードへの移行時のシーケンス）の詳細について、図６に示す制御フローチャートを用いて説明する。
【００５４】
図６は、画像形成装置１００が省電力モードへ移行する際の制御手順の一例を示すフローチャートである。なお、以下に説明する各制御処理は主として制御回路Ａ２０２により行われる。
制御回路Ａ２０２は、装置本体がスタンバイ状態において、省電力モードへの移行要因が入力された場合、移行処理を開始する（Ｓ６０１）。また、必要なデータをバックアップするなどの処理が実行される。
【００５５】
制御回路Ａ２０２は、リレー２０４をオフ（ＯＦＦ）して第２電源２０５に対するＡＣ商用電源の供給を遮断する（Ｓ６０２）。つまり、移行処理が終了した後、制御回路Ａ２０２は信号ｓｉｇ．Ｂ２２２をＬ信号に設定してダイオード２１３に入力する。制御回路Ａ２０２は、また、信号ｓｉｇ．Ａ２２１をＨ信号に設定してＮＯＴ回路２１８、ＡＮＤ回路２１７に入力する。これにより、信号ｓｉｇ．Ｄ２２４はＬ信号となりダイオード２１４に入力され、ダイオード２１３、２１４の入力は共にＬ信号となるためリレー２０４はオフされる。
【００５６】
制御回路Ａ２０２は、ＦＥＴ２０９をオフ（ＯＦＦ）して制御回路Ｂ２０３の動作を停止させる（Ｓ６０３）。制御回路Ａ２０２は、所定時間（例えば、１００［ｍｓ］）待機する（Ｓ６０４）。その後制御回路Ａ２０２は、ＦＥＴ２０６をオン（ＯＮ）して第１電源２０１から環境ヒータ１１１への給電経路を有効（オン）にする（Ｓ６０５）。つまり、制御回路Ａ２０２は信号ｓｉｇ．Ａ２２１をＨ信号に設定してＡＮＤ回路２１２の出力がＨ信号となるように制御し、ＦＥＴ２０６をオンする。その後、省電力モードに移行する（Ｓ６０６）。
以下、図６を用いて説明した制御手順の詳細について、図７に示すタイミングチャートを用いて説明する。
【００５７】
図７は、図６において説明した制御手順の詳細を説明するためのタイミングチャートである。なお、図６に示すタイミングチャートの縦軸（各段）は、図５のものと同じものであるため、その説明は省略する。
【００５８】
画像形成装置１００がスタンバイモード状態である場合、図７に示すタイミングチャートの各段（１）〜（５）は下記のような状態である。
第１電源２０１の電圧（（１））は、ＶＡ＝Ｖ１−Ｖｄ２０７［Ｖ］、第１電源２０１の消費電力（（２））は、Ｗ_ｗｈｏｌｅ＝Ｗ_ｃｉｒｃｕｉｔＡ＋Ｗ_ｃｉｒｃｕｉｔＢ［Ｗ］である。また、制御回路の消費電力（（３））は、Ｗ_ｃｉｒｃｕｉｔ＝Ｗ_ｃｉｒｃｕｉｔＡ ＋Ｗ_ｃｉｒｃｕｉｔＢ［Ｗ］である。また、第２電源２０５の電圧（（４））は、ＶＢ＝Ｖ２−Ｖｄ２０８［Ｖ］、環境ヒータ１１１の消費電力（（５））は、Ｗ_ｈｅａｔ＝ＶＢ２／Ｒｈである。
【００５９】
画像形成装置１００の制御回路Ａ２０２は、図７横軸に示す省電力モードへの移行要因入力を契機に、制御回路Ａ２０２と制御回路Ｂ２０３の動作を維持した状態で移行処理（ステップＳ６０１の処理参照）を実行する。なお、このときの制御回路の消費電力（（３））は、消費電力Ｗ_ｃｉｒｃｕｉｔ＝Ｗ_ｃｉｒｃｕｉｔＡ＋Ｗ_ｃｉｒｃｕｉｔＢ［Ｗ］である。
制御回路Ａ２０２は、信号ｓｉｇ．Ｂ２２２をＬ信号に設定してリレー２０４をオフする（ステップＳ６０２の処理参照）。これにより第２電源２０５へのＡＣ商用電源の供給が遮断される。そのため、第２電源２０５の電圧（（４））は、図７に示すように電圧Ｖ２から降下を開始する。
【００６０】
制御回路Ａ２０２は、信号ｓｉｇ．Ｃ２２３をＬ信号に設定してＦＥＴ２０９をオフし、制御回路Ｂ２０３の動作を停止（ステップＳ６０３の処理参照当）させる。これにより制御回路の消費電力（（３））Ｗ_ｃｉｒｃｕｉｔから制御回路Ｂ２０３の消費電力Ｗ_ｃｉｒｃｕｉｔＢの消費電力分の減少が開始する。そして、所定時間待機（ステップＳ６０４の処理参照）後に制御回路の消費電力（（３））Ｗ_ｃｉｒｃｕｉｔは、制御回路Ａ２０２の消費電力Ｗ_ｃｉｒｃｕｉｔＡのみとなる。
【００６１】
制御回路Ａ２０２は、信号ｓｉｇ．Ａ２２１をＨ信号に設定してＦＥＴ２０６をオンし、第１電源２０１から環境ヒータ１１１への給電経路を有効にする（ステップＳ６０４の処理参照）。これにより、環境ヒータ１１１に第１電源２０１からの電力が供給され、第１電源２０１の消費電力（（２））Ｗ_ｗｈｏｌｅが制御回路Ａ２０２と環境ヒータ１１１の消費電力Ｗ_ｈｅａｔ＝ＶＡ２／Ｒｈを消費する状態になる（ステップＳ３０７の処理参照）。
このように画像形成装置１００では、省電力モードからの復帰時、スタンバイモードから省電力モードへの移行時のいずれにおいても環境ヒータ１１１への給電が遮断されるタイミングが存在する。
【００６２】
しかしながら、時間的には短時間であるため、記録紙の給紙カセット１２４（または図示しない画像形成部）周辺部の温度影響は小さいものとなる。
なお、制御回路Ａ２０２による図４に示すステップＳ４０１〜Ｓ４０３の各処理と、図６に示すステップＳ６０３〜Ｓ６０５の各処理に係る制御動作（ＦＥＴによる排他制御動作）を、図８に示すハードウエア回路で実現することも可能である。
【００６３】
図８は、図２とは異なる、画像形成装置１００の機能構成の一例を示すブロック図である。
図８に示す画像形成装置１００の機能構成では、制御回路Ａ２０２の駆動信号は、遅延回路２８１を介してＦＥＴ２０９に接続される。さらに同信号は、ＮＯＴ回路２８３と遅延回路２８２を介してＦＥＴ２０６と接続される。この遅延回路２８１、２８２は、入力信号がＨ信号になってから出力信号をＨ信号にするまでの立ち上り遅延時間が大きく設計された回路である。また、入力信号がＬ信号になってから出力信号をＬ信号にするまでの立ち下り遅延時間を、０、あるいは立ち上り遅延時間より十分小さく設計された回路である。
以下、各処理がハードウエア回路によっても実現することができる点について図９を用いて説明する。
【００６４】
図９は、環境ヒータ１１１にコンデンサを並列接続した場合の構成の一例を示す制御ブロック図である。まず、図９（ａ）のタイミングチャートを用いて、図４に示すステップＳ４０１〜Ｓ４０３の各処理（省電力モードからの復帰シーケンス）を図８のハードウエア回路を用いて実現することができる点について説明する。
【００６５】
図９（ａ）に示すタイミングチャートの縦軸１段目（１）は、制御回路Ａ２０２の信号出力であり、２段目（２）は、遅延回路２８１の信号出力（即ちＦＥＴ２０９の給電状況）であり、３段目（３）は、ＮＯＴ回路２８３の信号出力である。また、縦軸４段目（４）は、遅延回路２８２の信号出力（即ちＦＥＴ２０６の給電状況）である。
【００６６】
図９（ａ）に示すタイミングＴ１において、制御回路Ａ２０２が図４に示すＦＥＴ２０６のオフ制御（ステップＳ４０１の処理参照）、すなわち信号ｓｉｇ．Ａ２２１をＨ信号に設定するとＮＯＴ回路２８３にＨ信号が入力される。
ＮＯＴ回路２８３は、入力信号を反転し、遅延回路２８２にＬ信号を出力する。遅延回路２８２は、立ち下り遅延時間後、タイミングＴ２においてＦＥＴ２０６にＬ信号を出力してＦＥＴ２０６をオフする。また、この制御に同期して、タイミングＴ１において遅延回路２８１にＨ信号（信号ｓｉｇ．Ａ２２１をＨ信号に設定）が入力される。遅延回路２８１は、Ｈ信号を受け取ると、立ち上り遅延時間経過後（ステップＳ４０２の処理に相当）にタイミングＴ３においてＦＥＴ２０９をオンする（ステップＳ４０３の処理参照）。
【００６７】
次に、図９（ｂ）のタイミングチャートを用いて、図６に示すステップＳ６０３〜Ｓ６０５の各処理（省電力モードへの移行シーケンス）を図８のハードウエア回路を用いて実現することができる点について説明する。なお、図９（ｂ）の縦軸は、図９（ａ）の縦軸と同じ構成であるため、その説明を省略する。
【００６８】
図９（ｂ）に示すタイミングＴ４において、制御回路Ａ２０２が図６に示すＦＥＴ２０９のオフ制御（ステップＳ６０３の処理参照）、すなわち信号ｓｉｇ．Ａ２２１をＬ信号に設定すると遅延回路２８１にＬ信号が入力される。遅延回路２８１は、Ｌ信号を受け取ると立ち下り遅延時間後、タイミングＴ５においてＦＥＴ２０９にＬ信号を出力してＦＥＴ２０９をオフする。また、この制御に同期して、タイミングＴ４においてＮＯＴ回路２８３にＬ信号（信号ｓｉｇ．Ａ２２１をＬ信号に設定）が入力される。ＮＯＴ回路２８３は、入力信号を反転して遅延回路２８２にＨ信号を出力する。
遅延回路２８２は、立ち上り遅延時間後（ステップＳ６０４の処理に相当）にタイミングＴ６においてＦＥＴ２０６にＨ信号を出力し、ＦＥＴ２０６オン（ステップＳ６０５の処理参照）する。
【００６９】
図８に示すハードウエア回路は、ＦＥＴ２０６とＦＥＴ２０９がＨ信号で駆動する回路として説明した。このような構成の他にもＦＥＴをＬ論理で駆動する回路として、代わりに制御回路Ａ２０２と遅延回路２８１が、ＮＯＴ回路２８３を介して接続されるとともに、制御回路Ａ２０２と遅延回路２８２が直接接続されるように設計してもよい。
あるいは、ＦＥＴをＬ論理で駆動する回路として、代わりに、モード移行時の制御回路Ａ２０２の制御論理を上記説明と逆にするとともに、遅延回路の立ち上り遅延時間と立ち下り遅延時間の時間設定の関係も上記説明と逆になるように設計してもよい。
【００７０】
また、制御回路Ａ２０２は、本実施形態ではＣＰＵを用いて説明したが、省電力モードからの復帰要因信号、移行要因信号が入力信号に同期してＦＥＴ２０６、リレー２０４を駆動するハードウエア回路により構成することも可能である。
【００７１】
図１０は、図２、図８とは異なる、画像形成装置１００の機能構成の一例を示すブロック図である。
図１０に示すように、環境ヒータ１１１に並列にコンデンサ２９０を所定容量接続した場合、第１および第２電源の切り替え直後のタイミングにおいてもコンデンサ（容量性負荷）２１０に蓄積された電荷から環境ヒータ１１１へ給電することができる。そのため、タイミングチャートに示すように、消費電力の下降を緩やかにできるため発熱量の低下を抑えることができる。
【００７２】
図１１は、図２、図８、図１０とは異なる、画像形成装置１００の機能構成の一例を示すブロック図である。
図１１に示すように、省電力モードからの復帰要因として第１電源２０１の電源経路状に当該第１電源２０１の消費電流を検知する電流検出回路２９１を設ける。そして、電流検出回路２９１の検知信号（検出値）が所定値以上となった場合にＦＥＴ２０６、リレー２０４を駆動する回路構成を採用することもできる。
【００７３】
このように、本実施形態に係る画像形成装置では、省電力モード時には環境ヒータ（ＤＣヒータ）への給電を第１電源（常夜電源）から行い、省電力モード以外のモードに移行する際には第１電源からの給電経路を遮断する。また、省電力モード以外のモードにおいては、環境ヒータ１１１への給電は第２電源（非常夜電源）から行う。これにより、省電力モード時の電力増加を抑制することができる。つまり、環境ヒータとしてＤＣヒータ（直流ヒータ）を用いる場合においても、第１電源として低出力タイプを使用することが可能となり、省電力モード時における消費電力量を抑制することができる。
【００７４】
上記説明した実施形態は、本発明をより具体的に説明するためのものであり、本発明の範囲が、これらの例に限定されるものではない。
【符号の説明】
【００７５】
１００・・・画像形成装置、１０１・・・画像形成部、１０２・・・画像読取部、１０３・・・原稿給紙部、１０４・・・ＡＣコード、１０５・・・インレット、１１６・・・リレーボード、１１１・・・環境ヒータ、１１７・・・システムコントローラ、１１８・・・本体電源、１２２・・・環境スイッチ、１２３・・・ソフトスイッチ、１２４・・・給紙カセット、２０１・・・第１電源（第１の電源）、２０２・・・制御回路Ａ、２０３・・・制御回路Ｂ、２０４・・・リレー、２０５・・・第２電源（第２の電源）、２０６、２０９、２１５・・・ＦＥＴ、２０７・・・ダイオード（第１電源２０１から環境ヒータ１１１への給電経路）、２０８・・・ダイオード（第２電源２０５から環境ヒータ１１１への給電経路）、２２１・・・第１の信号（信号ｓｉｇ．Ａ）、２２４・・・第２の信号（信号ｓｉｇ．Ｄ）、２８１、２８２・・・遅延回路、２８３・・・ＮＯＴ回路、２９０・・・環境ヒータ並列接続用コンデンサ、２９１・・・電流検出回路。
【図１】
0006704762.tif 000002
【図２】
0006704762.tif 000003
【図３】
0006704762.tif 000004
【図４】
0006704762.tif 000005
【図５】
0006704762.tif 000006
【図６】
0006704762.tif 000007
【図７】
0006704762.tif 000008
【図８】
0006704762.tif 000009
【図９】
0006704762.tif 000010
【図１０】
0006704762.tif 000011
【図１１】
0006704762.tif 000012
【図１２】
0006704762.tif 000013
【図１３】
0006704762.tif 000014